(57)【要約】      （修正有）【課題】フィッシュボーン編みの髪形の整形を容易にすることができる整髪補助具を提供する。【解決手段】整髪補助具１は、使用者の頭部に接触可能な内側面１０と、外側面２０と、横側面３１と、横側面３２とを有する板部材２を備える。板部材２には、下地髪を保持する下地髪保持孔４１と、下地髪保持孔４１から横側面３１まで延びる溝５１と、下地髪を保持する下地髪保持孔４２と、下地髪保持孔４２から横側面３２まで延びる溝５２と、下地髪から取り分けた編み髪を保持する編み髪保持孔６１と、編み髪保持孔６１から外側面２０まで延びる溝５３と、下地髪から取り分けた編み髪を保持する編み髪保持孔６２と、編み髪保持孔６２から外側面２０まで延びる溝５４とが形成されている。【選択図】図２
0003192372.tif 000002
【実用新案登録請求の範囲】
【請求項１】
使用者の頭部に接触可能な内側面と、該内側面の反対側に位置する外側面と、前記内側面の第１の端部と前記外側面との間に延びる第１の横側面と、前記内側面の第２の端部と前記外側面との間に延びる第２の横側面とを有する板部材を備え、
前記板部材には、
第１の下地髪を保持する第１の下地髪保持孔と、
前記内側面が延びる方向と略同一の方向に沿って前記第１の下地髪保持孔から前記第１の横側面まで延びる第１の溝と、
第２の下地髪を保持する第２の下地髪保持孔と、
前記内側面が延びる方向と略同一の方向に沿って前記第２の下地髪保持孔から前記第２の横側面まで延びる第２の溝と、
第１の編み髪を保持する第１の編み髪保持孔と、
前記内側面が延びる方向と略垂直な方向に沿って前記第１の編み髪保持孔から前記外側面まで延びる第３の溝と、
第２の編み髪を保持する第２の編み髪保持孔と、
前記内側面が延びる方向と略垂直な方向に沿って前記第２の編み髪保持孔から前記外側面まで延びる第４の溝と、
を形成したことを特徴とする整髪補助具。
【請求項２】
前記第１の編み髪保持孔は、前記第１の下地髪保持孔よりも前記外側面に近い位置に形成され、
前記第２の編み髪保持孔は、前記第２の下地髪保持孔よりも前記外側面に近い位置に形成される
ことを特徴とする請求項１に記載の整髪補助具。
【請求項３】
前記第１の編み髪保持孔は、前記第２の下地髪保持孔に保持された第２の下地髪から取り分けた編み髪を前記第１の編み髪として受け入れるように構成され、
前記第２の編み髪保持孔は、前記第１の下地髪保持孔に保持された第１の下地髪から取り分けた編み髪を前記第２の編み髪として受け入れるように構成される
ことを特徴とする請求項１又は２に記載の整髪補助具。
【請求項４】
前記内側面は凹状に湾曲していることを特徴とする請求項１から３のいずれか一項に記載の整髪補助具。
【請求項５】
前記外側面は凸状に湾曲していることを特徴とする請求項１から４のいずれか一項に記載の整髪補助具。
【請求項６】
前記板部材は、前記第１の下地髪保持孔及び前記第２の下地髪保持孔のそれぞれの半径方向内側に向かって延びる複数の突起をさらに有することを特徴とする請求項１から５のいずれか一項に記載の整髪補助具。
【請求項７】
前記第１の溝は、前記第１の横側面に向かって末広がり形状を呈する第１の案内部を有し、
前記第２の溝は、前記第２の横側面に向かって末広がり形状を呈する第２の案内部を有する
ことを特徴とする請求項１から６のいずれか一項に記載の整髪補助具。
【請求項８】
前記第１の溝は、溝幅を変化させた第１の波状部を有し、
前記第２の溝は、溝幅を変化させた第２の波状部を有する
ことを特徴とする請求項１から７のいずれか一項に記載の整髪補助具。
【請求項９】
前記第１の溝は、前記第１の下地髪保持孔に収まりきらない第１の下地髪を収容する第１の収容部を有し、
前記第２の溝は、前記第２の下地髪保持孔に収まりきらない第２の下地髪を収容する第２の収容部を有する
ことを特徴とする請求項１から８のいずれか一項に記載の整髪補助具。
【請求項１０】
前記第３の溝は、前記外側面に向かって末広がり形状を呈する第３の案内部を有し、
前記第４の溝は、前記外側面に向かって末広がり形状を呈する第４の案内部を有する
ことを特徴とする請求項１から９のいずれか一項に記載の整髪補助具。
【請求項１１】
前記第３の溝は、溝幅を変化させた第３の波状部を有し、
前記第４の溝は、溝幅を変化させた第４の波状部を有する
ことを特徴とする請求項１から１０のいずれか一項に記載の整髪補助具。
【請求項１２】
前記第３の溝は、前記第１の編み髪保持孔に収まりきらない第１の編み髪を収容する第１の収容部を有し、
前記第４の溝は、前記第２の編み髪保持孔に収まりきらない第２の編み髪を収容する第２の収容部を有する
ことを特徴とする請求項１から１１のいずれか一項に記載の整髪補助具。
【請求項１３】
前記板部材は、弾性を有する材料からなることを特徴とする請求項１から１２のいずれか一項に記載の整髪補助具。
【請求項１４】
前記板部材は、表面の粗い材料からなることを特徴とする請求項１から１３のいずれか一項に記載の整髪補助具。
【考案の詳細な説明】
【技術分野】
【０００１】
本考案は、整髪補助具に係り、特に頭髪の髪束を編む際に使用される整髪補助具に関するものである。
【背景技術】
【０００２】
近年、魚の骨のように頭髪を編み込んだフィッシュボーンと呼ばれる髪形が女性の間で人気となっている。このフィッシュボーン編みの髪形は、以下のような手順で作ることができる。
【０００３】
まず、図１Ａに示すように、頭髪を根元１００で縛り、根元１００から毛先の部分を２つに分けて下地髪束１１１と下地髪束１１２とに分ける。そして、図１Ｂに示すように、下地髪束１１１から取り分けた少量の編み髪束１２１を下地髪束１１２の上に移動し、下地髪束１１２に合わせる。次に、図１Ｃに示すように、下地髪束１１２から取り分けた少量の編み髪束１２２を下地髪束１１１の上に移動し、下地髪束１１１に合わせる。
【０００４】
以後、同様に、図１Ｄに示すように、下地髪束１１１から取り分けた少量の編み髪束１２３を下地髪束１１２の上に移動し、下地髪束１１２に合わせ、図１Ｅに示すように、下地髪束１１２から取り分けた少量の編み髪束１２４を下地髪束１１１の上に移動し、下地髪束１１１に合わせる。このような作業を繰り返していくと、図１Ｆに示すような編み目（フィッシュボーン）が形成される。最後は、下地髪束１１１と下地髪束１１２の下端を合わせてゴムやピンなどで留めると、フィッシュボーン編みの髪形が完成する。
【０００５】
しかしながら、このフィッシュボーン編みをするためは、上述したように、２つの下地髪束を保持しつつ編み髪束を他方の下地髪束の上に移動させなければならないため、自分一人でフィッシュボーン編みの髪形を作るのが非常に難しい。
【考案の概要】
【考案が解決しようとする課題】
【０００６】
本考案は、このような従来技術の問題点に鑑みてなされたもので、フィッシュボーン編みの髪形の整形を容易にすることができる整髪補助具を提供することを目的とする。
【課題を解決するための手段】
【０００７】
本考案の第１の態様によれば、フィッシュボーン編みの髪形の整形を容易にすることができる整髪補助具が提供される。この整髪補助具は、使用者の頭部に接触可能な内側面と、該内側面の反対側に位置する外側面と、上記内側面の第１の端部と上記外側面との間に延びる第１の横側面と、上記内側面の第２の端部と上記外側面との間に延びる第２の横側面とを有する板部材を備えている。上記板部材には、第１の下地髪を保持する第１の下地髪保持孔と、上記内側面が延びる方向と略同一の方向に沿って上記第１の下地髪保持孔から上記第１の横側面まで延びる第１の溝と、第２の下地髪を保持する第２の下地髪保持孔と、上記内側面が延びる方向と略同一の方向に沿って上記第２の下地髪保持孔から上記第２の横側面まで延びる第２の溝と、第１の編み髪を保持する第１の編み髪保持孔と、上記内側面が延びる方向と略垂直な方向に沿って上記第１の編み髪保持孔から上記外側面まで延びる第３の溝と、第２の編み髪を保持する第２の編み髪保持孔と、上記内側面が延びる方向と略垂直な方向に沿って上記第２の編み髪保持孔から上記外側面まで延びる第４の溝とが形成されている。
【０００８】
このような整髪補助具によれば、下地髪用の保持孔と編み髪用の保持孔をそれぞれ２つずつ形成したため、下地髪を下地髪保持孔に、編み髪を編み髪保持孔にそれぞれ独立して保持できるので、下地髪や編み髪を常時手でまとめておく必要がなくなり、極めて容易に自分一人でフィッシュボーン編みの髪形を作ることができる。
【０００９】
この場合において、上記第１の下地髪保持孔よりも上記外側面に近い位置に上記第１の編み髪保持孔を形成し、上記第２の下地髪保持孔よりも上記外側面に近い位置に上記第２の編み髪保持孔を形成することが好ましい。
【００１０】
また、上記第２の下地髪保持孔に保持された第２の下地髪から取り分けた編み髪を受け入れるように上記第１の編み髪保持孔を構成することが好ましく、上記第１の下地髪保持孔に保持された第１の下地髪の一部から取り分けた編み髪を受け入れるように上記第２の編み髪保持孔を構成することが好ましい。
【００１１】
上記内側面は、使用者の頭部に均一に接触するように凹状に湾曲していることが好ましい。また、上記外側面は、第１の下地髪保持孔から取り出した編み髪を第２の編み髪保持孔まで移動しやすいように、また、第２の下地髪保持孔から取り出した編み髪を第１の編み髪保持孔まで移動しやすいように凸状に湾曲していることが好ましい。
【００１２】
上記板部材は、上記第１の下地髪保持孔及び上記第２の下地髪保持孔のそれぞれの半径方向内側に向かって延びる複数の突起をさらに有することが好ましい。このような突起を設けることにより、下地髪の量が少なくても下地髪保持孔内に下地髪を保持することが可能となる。
【００１３】
上記第１の溝は、上記第１の横側面に向かって末広がり形状を呈する第１の案内部を有することが好ましく、上記第２の溝は、上記第２の横側面に向かって末広がり形状を呈する第２の案内部を有することが好ましい。このような案内部によって下地髪を第１の溝又は第２の溝に案内しやすくなる。
【００１４】
上記第１の溝は、溝幅を変化させた第１の波状部を有することが好ましく、上記第２の溝は、溝幅を変化させた第２の波状部を有することが好ましい。このような波状部によって下地髪保持孔に保持された下地髪が不用意に溝を通って外部にほどけ出てしまうことを防止することができる。
【００１５】
上記第１の溝は、上記第１の下地髪保持孔に収まりきらない第１の下地髪を収容する第１の収容部を有することが好ましく、上記第２の溝は、上記第２の下地髪保持孔に収まりきらない第２の下地髪を収容する第２の収容部を有することが好ましい。
【００１６】
上記第３の溝は、上記外側面に向かって末広がり形状を呈する第３の案内部を有することが好ましく、上記第４の溝は、上記外側面に向かって末広がり形状を呈する第４の案内部を有することが好ましい。このような案内部によって編み髪を第３の溝又は第４の溝に案内しやすくなる。
【００１７】
上記第３の溝は、溝幅を変化させた第３の波状部を有することが好ましく、上記第４の溝は、溝幅を変化させた第４の波状部を有することが好ましい。このような波状部によって編み髪保持孔に保持された編み髪が不用意に溝を通って外部にほどけて出てしまうことを防止することができる。
【００１８】
上記第３の溝は、上記第１の編み髪保持孔に収まりきらない第１の編み髪を収容する第１の収容部を有することが好ましく、上記第４の溝は、上記第２の編み髪保持孔に収まりきらない第２の編み髪を収容する第２の収容部を有することが好ましい。
【００１９】
上記板部材は、表面の粗い材料からなることが好ましい。表面の粗い材料を用いることで、摩擦力が生じやすくなり、整髪補助具が髪から滑り落ちることを防止することができる。また、上記板部材は、弾性を有する材料からなることが好ましい。弾性を有する材料を用いることで、下地髪保持孔の形状や編み髪保持孔の形状を髪束のボリュームに応じて変化させることができ、より多くの髪を保持することができる。
【考案の効果】
【００２０】
本考案によれば、下地髪用の保持孔と編み髪用の保持孔をそれぞれ２つずつ形成したため、下地髪を下地髪保持孔に、編み髪を編み髪保持孔にそれぞれ独立して保持できるので、下地髪や編み髪を常時手でまとめておく必要がなくなり、極めて容易に自分一人でフィッシュボーン編みの髪形を作ることができる。
【図面の簡単な説明】
【００２１】
【図１Ａ】フィッシュボーンの髪形の作り方を説明する模式図である。
【図１Ｂ】フィッシュボーンの髪形の作り方を説明する模式図である。
【図１Ｃ】フィッシュボーンの髪形の作り方を説明する模式図である。
【図１Ｄ】フィッシュボーンの髪形の作り方を説明する模式図である。
【図１Ｅ】フィッシュボーンの髪形の作り方を説明する模式図である。
【図１Ｆ】フィッシュボーンの髪形の作り方を説明する模式図である。
【図２】本考案の一実施形態における整髪補助具を示す平面図である。
【図３】図２に示される整髪補助具の正面図である。
【図４】図２に示される整髪補助具の背面図である。
【図５】図２に示される整髪補助具の左側面図である。
【図６】図２に示される整髪補助具の右側面図である。
【図７】図２の整髪補助具の板部材に形成された下地髪保持孔と溝を示す拡大図である。
【図８】図２の整髪補助具の板部材に形成された下地髪保持孔と溝を示す拡大図である。
【図９】図２の整髪補助具の板部材に形成された編み髪保持孔と溝を示す拡大図である。
【図１０】図２の整髪補助具の板部材に形成された編み髪保持孔と溝を示す拡大図である。
【図１１Ａ】図２に示される整髪補助具の使用方法を説明する模式図である。
【図１１Ｂ】図２に示される整髪補助具の使用方法を説明する模式図である。
【図１１Ｃ】図２に示される整髪補助具の使用方法を説明する模式図である。
【図１１Ｄ】図２に示される整髪補助具の使用方法を説明する模式図である。
【図１１Ｅ】図２に示される整髪補助具の使用方法を説明する模式図である。
【考案を実施するための形態】
【００２２】
以下、本考案に係る整髪補助具の実施形態について図２から図１１Ｅを参照して詳細に説明する。なお、図２から図１１Ｅにおいて、同一又は相当する構成要素には、同一の符号を付して重複した説明を省略する。
【００２３】
図２は本考案の一実施形態における整髪補助具１の平面図、図３は正面図、図４は背面図、図５は左側面図、図６は右側面図である。図２から図６に示すように、本実施形態に係る整髪補助具１は、例えばエチレン酢酸ビニル（ＥＶＡ）などの弾性を有する材料から構成される１枚の板部材２からなるものであり、この板部材２は、フィッシュボーン編みの髪形を作り易くするために特殊な形状をしている。
【００２４】
すなわち、板部材２は、図２に示すように、使用者の頭部に接触可能な内側面１０と、内側面の反対側に位置する外側面２０と、内側面１０の端部１１と外側面２０との間に延びる横側面３１と、内側面１０の端部１２と外側面２０との間に延びる横側面３２とを有している。図２に示すように、内側面１０は、使用者の頭部に均一に接触するように凹状に湾曲しているが、概してＸ方向に沿って延びている。
【００２５】
図２に示すように、板部材２には、Ｘ方向に互いに間隔を空けて配置された２つの下地髪保持孔４１，４２が形成されている。下地髪保持孔４１，４２は、板部材２の上面１３から下面１４まで貫通している。これらの下地髪保持孔４１，４２は、Ｙ方向に同じ位置に配置されている。
【００２６】
さらに、板部材２には、下地髪保持孔４１から横側面３１まで−Ｘ方向に延びる溝５１と、下地髪保持孔４２から横側面３２まで＋Ｘ方向に延びる溝５２とが形成されている。これらの溝５１，５２はいずれも上面１３から下面１４まで板部材２を貫通している。したがって、図２に示すように、溝５１によって、横側面３１は内側横側面３１Ａと外側横側面３１Ｂとに分割され、板部材２は内側部分２１と外側部分２２とに分割される。また、溝５２によって、横側面３２は内側横側面３２Ａと外側横側面３２Ｂとに分割され、板部材２は内側部分２３と外側部分２４とに分割される。これらの溝５１，５２のＹ方向の位置は、下地髪保持孔４１，４２の中心のＹ方向の位置と略一致している。
【００２７】
図７は、図２の下地髪保持孔４１と溝５１とを示す拡大図である。図７に示すように、下地髪保持孔４１には、その半径方向内側に向かって延びる複数の突起４３が所定の角度間隔で形成されており、下地髪保持孔４１は花のような形状となっている。
【００２８】
また、溝５１は、下地髪保持孔４１に収まりきらない下地髪を収容するために幅の広くなった収容部５１Ａと、収容部５１ＡからＸ方向に沿って幅が変化する波状部５１Ｂと、波状部５１Ｂから横側面３１に向かって末広がり形状を呈する案内部５１Ｃとを含んでいる。波状部５１Ｂでは、部分的に板部材２の内側部分２１と外側部分２２とが当接しており、下地髪保持孔４１に保持された下地髪が容易に抜け出さないようになっている。案内部５１Ｃは、板部材２の内側部分２１と外側部分２２とが当接した波状部５１Ｂの部分から横側面３１に向かって幅が広くなっており、下地髪を溝５１に通しやすいようになっている。
【００２９】
図８は、図２の下地髪保持孔４２と溝５２とを示す拡大図である。図８に示すように、下地髪保持孔４２には、その半径方向内側に向かって延びる複数の突起４４が所定の角度間隔で形成されており、下地髪保持孔４２は花のような形状となっている。
【００３０】
また、溝５２は、下地髪保持孔４２に収まりきらない下地髪を収容するために幅の広くなった収容部５２Ａと、収容部５２ＡからＸ方向に沿って幅が変化する波状部５２Ｂと、波状部５２Ｂから横側面３２に向かって末広がり形状を呈する案内部５２Ｃとを含んでいる。波状部５２Ｂでは、部分的に板部材２の内側部分２３と外側部分２４とが当接しており、下地髪保持孔４２に保持された下地髪が容易に抜け出さないようになっている。案内部５２Ｃは、板部材２の内側部分２３と外側部分２４とが当接した波状部５２Ｂの部分から横側面３２に向かって幅が広くなっており、下地髪を溝５２に通しやすいようになっている。
【００３１】
図２に戻って、板部材２には、Ｘ方向に互いに間隔を空けて配置された２つの編み髪保持孔６１，６２が形成されている。編み髪保持孔６１，６２は、板部材２の上面１３から下面１４まで貫通している。これらの編み髪保持孔６１，６２は、Ｙ方向に同じ位置に配置されており、下地髪保持孔４１，４２と外側面２０との間、すなわち下地髪保持孔４１，４２よりも外側面２０に近い位置に配置されている。編み髪保持孔６１のＸ方向の位置は下地髪保持孔４１よりも中央側に寄った位置となっており、編み髪保持孔６２のＸ方向の位置は下地髪保持孔４２よりも中央側に寄った位置となっている。詳細は後述するが、編み髪保持孔６１は、下地髪保持孔４２に保持された下地髪から取り分けた編み髪を受け入れるように構成されており、編み髪保持孔６２は、下地髪保持孔４１に保持された下地髪から取り分けた編み髪を受け入れるように構成されている。
【００３２】
また、板部材２には、編み髪保持孔６１から外側面２０まで−Ｙ方向に延びる溝５３と、編み髪保持孔６２から外側面２０まで−Ｙ方向に延びる溝５４とが形成されている。これらの溝５３，５４はいずれも上面１３から下面１４まで板部材２を貫通している。したがって、図２に示すように、溝５３によって、外側面２０は側方外側面２０Ａと中央外側面２０Ｂとに分割され、板部材２は側方部分２５と中央部分２６とに分割される。また、溝５４によって、外側面２０は中央外側面２０Ｂと側方外側面２０Ｃとに分割され、板部材２は中央部分２６と側方部分２７とに分割される。溝５３のＸ方向の位置は、編み髪保持孔６１の中心のＸ方向の位置と略一致しており、溝５４のＸ方向の位置は、編み髪保持孔６２の中心のＸ方向の位置と略一致している。
【００３３】
図９は、図２の編み髪保持孔６１と溝５３とを示す拡大図である。図９に示すように、編み髪保持孔６１には、その半径方向内側に向かって延びる複数の突起４５が所定の角度間隔で形成されており、編み髪保持孔６１は花のような形状となっている。
【００３４】
また、溝５３は、編み髪保持孔６１に収まりきらない編み髪を収容するために幅の広くなった収容部５３Ａと、収容部５３ＡからＸ方向に沿って幅が変化する波状部５３Ｂと、波状部５３Ｂから外側面２０に向かって末広がり形状を呈する案内部５３Ｃとを含んでいる。波状部５３Ｂでは、部分的に板部材２の側方部分２５と中央部分２６とが当接しており、編み髪保持孔６１に保持された編み髪が容易に抜け出さないようになっている。案内部５３Ｃは、板部材２の側方部分２５と中央部分２６とが当接した波状部５３Ｂの部分から外側面２０に向かって幅が広くなっており、編み髪を溝５３に通しやすいようになっている。
【００３５】
図１０は、図２の編み髪保持孔６２と溝５４とを示す拡大図である。図１０に示すように、編み髪保持孔６２には、その半径方向内側に向かって延びる複数の突起４６が所定の角度間隔で形成されており、編み髪保持孔６２は花のような形状となっている。
【００３６】
また、溝５４は、編み髪保持孔６２に収まりきらない編み髪を収容するために幅の広くなった収容部５４Ａと、収容部５４ＡからＸ方向に沿って幅が変化する波状部５４Ｂと、波状部５４Ｂから外側面２０に向かって末広がり形状を呈する案内部５４Ｃとを含んでいる。波状部５４Ｂでは、部分的に板部材２の中央部分２６と側方部分２７とが当接しており、編み髪保持孔６２に保持された編み髪が容易に抜け出さないようになっている。案内部５４Ｃは、板部材２の中央部分２６と側方部分２７とが当接した波状部５４Ｂの部分から外側面２０に向かって幅が広くなっており、編み髪を溝５４に通しやすいようになっている。
【００３７】
次に、上述した構成の整髪補助具１の使用方法について説明する。まず、整髪補助具１を使用しない場合と同様に、図１Ａに示すように、頭髪を根元１００でゴムなどにより縛るか、あるいは１〜２回三つ編みにしてから、根元１００から毛先の部分を２つに分けて下地髪束１１１と下地髪束１１２とに分ける。このとき、板部材２の内側面１０が使用者の頭部に接するように整髪補助具１を持ち、図１１Ａに示すように、下地髪束１１１を横側面３１から溝５１を通過させて下地髪保持孔４１の内部に入れる。ここで、溝５１の入口には、横側面３１に向かって末広がり形状を呈する案内部５１Ｃが形成されているため（図７参照）、下地髪束１１１を案内部５１Ｃによって容易に溝５１に案内することができる。また、下地髪保持孔４１には突起４３が設けられているため、下地髪束１１１の量が少なくても突起４３に引っかかることになるので、より確実に下地髪束１１１を下地髪保持孔４１内に保持することができる。さらに、溝５１には波状部５１Ｂが形成されているため、下地髪保持孔４１に保持された下地髪束１１１が不用意に溝５１を通って外部にほどけ出てしまうということが防止される。
【００３８】
同様に、下地髪束１１２を横側面３２から溝５２を通過させて下地髪保持孔４２の内部に入れる。この溝５２の入口にも、横側面３２に向かって末広がり形状を呈する案内部５２Ｃが形成されているため（図８参照）、下地髪束１１２を案内部５２Ｃによって容易に溝５２に案内することができる。また、下地髪保持孔４２には突起４４が設けられているため、下地髪束１１２の量が少なくても突起４４に引っかかることになるので、より確実に下地髪束１１２を下地髪保持孔４２内に保持することができる。さらに、溝５２には波状部５２Ｂが形成されているため、下地髪保持孔４２に保持された下地髪束１１２が不用意に溝５２を通って外部にほどけ出てしまうということが防止される。
【００３９】
そして、図１１Ｂに示すように、下地髪保持孔４１に保持されている下地髪束１１１から少量を取り分け、溝５１を通過させて編み髪束１２１として整髪補助具１の外側に取り出す。この取り分けた編み髪束１２１を図１１Ｃに示すように外側面２０から溝５４を通過させて編み髪保持孔６２に入れる。ここで、板部材２の外側面２０は凸状に丸みを帯びた形状となっており、下地髪保持孔４１から取り出した編み髪束１２１を編み髪保持孔６２まで移動しやすいようになっている。また、溝５４の入口には、外側面２０に向かって末広がり形状を呈する案内部５４Ｃが形成されているため（図１０参照）、編み髪束１２１を案内部５４Ｃによって容易に溝５４に案内することができる。さらに、編み髪保持孔６２には突起４６が設けられているため、編み髪束１２１の量が少なくても突起４６に引っかかるため、より確実に編み髪束１２１を編み髪保持孔６２内に保持することができる。さらに、溝５４には波状部５４Ｂが形成されているため、編み髪保持孔６２に保持された編み髪束１２１が不用意に溝５４を通って外部にほどけ出てしまうということが防止される。
【００４０】
次に、図１１Ｄに示すように、下地髪保持孔４２に保持されている下地髪束１１２から適当量を取り分け、溝５２を通過させて編み髪束１２２として整髪補助具１の外側に取り出す。この取り分けた編み髪束１２２を図１１Ｅに示すように外側面２０から溝５３を通過させて編み髪保持孔６１に入れる。ここで、板部材２の外側面２０は凸状に丸みを帯びた形状となっており、下地髪保持孔４２から取り出した編み髪束１２２を編み髪保持孔６１まで移動しやすいようになっている。また、溝５３の入口には、外側面２０に向かって末広がり形状を呈する案内部５３Ｃが形成されているため（図９参照）、編み髪束１２２を案内部５３Ｃによって容易に溝５３に案内することができる。さらに、編み髪保持孔６１には突起４５が設けられているため、編み髪束１２２の量が少なくても突起４５に引っかかるため、より確実に編み髪束１２２を編み髪保持孔６１内に保持することができる。さらに、溝５３には波状部５３Ｂが形成されているため、編み髪保持孔６１に保持された編み髪束１２２が不用意に溝５３を通って外部にほどけ出てしまうということが防止される。
【００４１】
以後、最終的には、下地髪保持孔４１に保持されている下地髪束１１１がすべて編み髪保持孔６２に、下地髪保持孔４２に保持されている下地髪束１１２がすべて編み髪保持孔６２にそれぞれ移動するまで、あるいは使用者が欲する量のフィッシュボーン編みができるまで、図１１Ｂ〜図１１Ｅに示す工程を繰り返す。
【００４２】
髪の毛が長い場合には、下地髪保持孔４１に保持されている下地髪束１１１がすべて編み髪保持孔６２に、下地髪保持孔４２に保持されている下地髪束１１２がすべて編み髪保持孔６２にそれぞれ移動されても、使用者が欲する量のフィッシュボーン編みができない場合がある。そのような場合には、編み髪保持孔６１に移動された編み髪を下地髪保持孔４１に入れ直し、編み髪保持孔６２に移動された編み髪を下地髪保持孔４２に入れ直して、所望の量のフィッシュボーン編みができるまで、図１１Ｂ〜図１１Ｅに示す工程を繰り返す。
【００４３】
最後は、編み髪保持孔６１，６２（及び下地髪保持孔４１，４２）に保持されている髪束を溝５３，５４（及び溝５１，５２）を通過させて編み髪保持孔６１，６２（及び下地髪保持孔４１，４２）から抜き出し、整髪補助具１を髪から外して髪束の毛先部分をゴムやピンなどで留めることによって、フィッシュボーン編みの髪形が完成する。
【００４４】
このように、本実施形態に係る整髪補助具１によれば、下地髪用の保持孔４１，４２と編み髪用の保持孔６１，６２をそれぞれ２つずつ形成したため、下地髪を下地髪保持孔４１，４２に、編み髪を編み髪保持孔６１，６２にそれぞれ独立して保持できるので、下地髪や編み髪を常時手でまとめておく必要がなくなり、極めて容易に自分一人でフィッシュボーン編みの髪形を作ることができる。
【００４５】
また、整髪補助具１としての板部材２は、ＥＶＡなどの表面の粗い材料から形成されているので、摩擦力が生じやすくなり、整髪補助具１が髪から滑り落ちることを防止することができる。また、板部材２がＥＶＡなどの弾性を有する材料から形成されているため、下地髪保持孔４１，４２の形状や編み髪保持孔６１，６２の形状を髪束のボリュームに応じて変化させることができ、より多くの髪を保持することができる。
【００４６】
これまで本考案の好ましい実施形態について説明したが、本考案は上述の実施形態に限定されず、その技術的思想の範囲内において種々異なる形態にて実施されてよいことは言うまでもない。
【符号の説明】
【００４７】
１    整髪補助具
２    板部材
１０    内側面
１１，１２    端部
１３    上面
１４    下面
２０    外側面
２０Ａ  側方外側面
２０Ｂ  中央外側面
２０Ｃ  側方外側面
２１    内側部分
２２    外側部分
２３    内側部分
２４    外側部分
２５    側方部分
２６    中央部分
２７    側方部分
３１    （第１の）横側面
３１Ａ  内側横側面
３１Ｂ  外側横側面
３２    （第２の）横側面
３２Ａ  内側横側面
３２Ｂ  外側横側面
４１    （第１の）下地髪保持孔
４２    （第２の）下地髪保持孔
４３〜４６    突起
５１    （第１の）溝
５１Ａ  収容部
５１Ｂ  波状部
５１Ｃ  案内部
５２    （第２の）溝
５２Ａ  収容部
５２Ｂ  波状部
５２Ｃ  案内部
５３    （第３の）溝
５３Ａ  収容部
５３Ｂ  波状部
５３Ｃ  案内部
５４    （第４の）溝
５４Ａ  収容部
５４Ｂ  波状部
５４Ｃ  案内部
６１    （第１の）編み髪保持孔
６２    （第２の）編み髪保持孔
１００    根元
１１１，１１２    下地髪束
１２１〜１２４    編み髪束
【図１Ａ】
0003192372.tif 000003
【図１Ｂ】
0003192372.tif 000004
【図１Ｃ】
0003192372.tif 000005
【図１Ｄ】
0003192372.tif 000006
【図１Ｅ】
0003192372.tif 000007
【図１Ｆ】
0003192372.tif 000008
【図２】
0003192372.tif 000009
【図３】
0003192372.tif 000010
【図４】
0003192372.tif 000011
【図５】
0003192372.tif 000012
【図６】
0003192372.tif 000013
【図７】
0003192372.tif 000014
【図８】
0003192372.tif 000015
【図９】
0003192372.tif 000016
【図１０】
0003192372.tif 000017
【図１１Ａ】
0003192372.tif 000018
【図１１Ｂ】
0003192372.tif 000019
【図１１Ｃ】
0003192372.tif 000020
【図１１Ｄ】
0003192372.tif 000021
【図１１Ｅ】
0003192372.tif 000022